(57)【要約】【課題】患者の入院処理として何ら操作することなく、ナースコール子機の何れかより呼び出しがあったとき、呼び出しを報知すべき携帯端末の携帯端末番号を自動的に割り当てる。【解決手段】（ナースコール親機２０をなす）ＰＣナースコール２０ｂは、オーダリングシステム２１から定期的に転送、例えば、患者の入院時や病床の移動時等に転送されデータベースに記憶される患者管理データおよび医療・看護データをもとに、ナースコール子機１ａ〜１ｄ、２ａ〜２ｄ、・・・の何れかより呼び出しがあったとき、呼び出しを報知すべき携帯端末２２ａ、２２ｂ、・・・の携帯端末番号を特定するための日勤、準夜勤、夜勤等の各勤務帯に応じた複数の対応表について操作部２０１の操作により入力または変更設定が可能であり、この対応表は制御部の制御により表示部２００に表示させることができる。【選択図】  図１
2004320555.tif 000002
【特許請求の範囲】
【請求項１】
病室内に設置され病床の患者が看護師を呼び出すためのナースコール子機（１ａ〜１ｄ、２ａ〜２ｄ、・・・）と、前記病室毎に設置され前記患者により前記ナースコール子機から呼び出しがあったとき呼出表示灯（１００）が点滅／点灯する廊下灯（１１、１２、・・・）と、ナースステーション内に設置され前記患者からの呼び出しを報知するとともに通話を成立させるための表示部（２００）を有するナースコール親機（２０）と、前記廊下灯および前記ナースコール親機を制御するための制御機（２５）と、前記看護師がそれぞれ携帯し、受け持ちの前記患者からの呼び出しを報知するとともに通話を成立させるための携帯端末（２２ａ、２２ｂ、・・・）とを備え、
前記ナースコール親機は、前記患者の患者ＩＤ、患者氏名等の患者管理データおよび入院予定日、ベッド番号、チーム番号、担当看護師番号、担当看護師名等の医療・看護データを記憶し、前記ナースコール親機へと転送するためのオーダリングシステム（２１）に接続され、
前記ナースコール親機は、前記オーダリングシステムから転送された前記チーム番号および／または前記担当看護師番号のデータをもとに、前記ナースコール子機の何れかより呼び出しがあったとき、前記呼び出しを報知すべき前記携帯端末の携帯端末番号を特定するためのデータベース（２０５）を有することを特徴とするナースコールシステム。
【請求項２】
前記ナースコール親機は、前記チーム番号および／または前記担当看護師番号と前記携帯端末の携帯端末番号との対応表（５０１、５０２）を表示するための表示部（２００）と、前記対応表を入力または変更設定するためのタッチパネル、キーボード等の操作部（２０１）と、前記入力または変更設定された対応表を前記データベースに記憶するための制御部（２０２）とを備えたことを特徴とする請求項１記載のナースコールシステム。
【請求項３】
前記対応表は、日勤、準夜勤、夜勤等の各勤務帯に応じて複数の設定が可能であることを特徴とする請求項２記載のナースコールシステム。
【請求項４】
前記制御部は、前記表示部において待受時に監視対象の全ての患者管理データおよび医療・看護データを一覧でき、前記チーム番号および／または前記担当看護師番号によって患者毎に前記表示部にて色分け表示を行うものであることを特徴とする請求項２または請求項３記載のナースコールシステム。
【請求項５】
前記ナースコール親機は、前記患者管理データおよび前記医療・看護データをもとに、指定されたベッド番号の病床の患者の入院処理を行うための制御部（２０２）を備えたことを特徴とする請求項１乃至請求項４のうち何れか１項記載のナースコールシステム。
【発明の詳細な説明】
【０００１】
【発明の属する技術分野】
本発明はナースコールシステムに係り、特に、ナースコール子機の何れかより呼び出しがあったとき、呼び出しを報知すべき携帯端末の携帯端末番号を自動的に割り当てることができるナースコールシステムに関する。
【０００２】
【従来の技術】
従来から、この種のナースコールシステムとして、患者等（以下、患者という。）によりナースコールの要求が発生して患者用子機（患者用コードレス電話）のナースコール用ボタンが押下されたとき、患者用子機からの呼出信号を検出した制御装置の制御により情報処理装置に記憶された患者名、部屋番号、担当看護婦等の情報（データ）が呼び出され、看護婦等が携帯した看護婦用子機にてナースコールの要求がある旨の報知が行われるナースコールシステムが開示されている（例えば、特許文献１参照）。
【０００３】
【特許文献１】特開２００１−８６２７０号公報（段落番号「００１５」、「００１６」、「００１７」）
【０００４】
【発明が解決しようとする課題】
しかしながら、従来例のナースコールシステムにおいて、患者の入院処理および看護婦用子機の番号（端末番号）の割り当ては、ナースセンター内に在室中の看護婦等が当該患者毎、入院の度に情報処理装置へと記憶させる必要があり、この処理操作には多くの時間が費やされるばかりでなく、入力忘れが発生すると、間違った番号（端末番号）の看護婦用子機へとナースコールの要求がある旨の報知が行われていた。
【０００５】
本発明は、上述の難点を解消するためになされたもので、患者の入院処理として何ら操作することなく、ナースコール子機の何れかより呼び出しがあったとき、呼び出しを報知すべき携帯端末の携帯端末番号を自動的に割り当てることができるナースコールシステムを提供することを目的としている。
【０００６】
【課題を解決するための手段】
上述の目的を達成するため、本発明のナースコールシステムは、病室内に設置され病床の患者が看護師を呼び出すためのナースコール子機と、病室毎に設置され患者によりナースコール子機から呼び出しがあったとき呼出表示灯が点滅／点灯する廊下灯と、ナースステーション内に設置され患者からの呼び出しを報知するとともに通話を成立させるための表示部を有するナースコール親機と、廊下灯およびナースコール親機を制御するための制御機と、看護師がそれぞれ携帯し、受け持ちの患者からの呼び出しを報知するとともに通話を成立させるための携帯端末とを備えている。ナースコール親機は、患者の患者ＩＤ、患者氏名等の患者管理データおよび入院予定日、ベッド番号、チーム番号、担当看護師番号、担当看護師名等の医療・看護データを記憶し、ナースコール親機へと転送するためのオーダリングシステムに接続されている。ナースコール親機は、オーダリングシステムから転送されたチーム番号および／または担当看護師番号のデータをもとに、ナースコール子機の何れかより呼び出しがあったとき、呼び出しを報知すべき携帯端末の携帯端末番号を特定するためのデータベースを有している。
【０００７】
また、本発明のナースコールシステムにおいて、ナースコール親機は、携帯端末のチーム番号および／または担当看護師番号と携帯端末番号との対応表を表示するための表示部と、対応表を入力または変更設定するためのタッチパネル、キーボード等の操作部と、入力または変更設定された対応表をデータベースに記憶するための制御部とを備えている。
【０００８】
また、本発明のナースコールシステムにおいて、（ナースコール親機の表示部に表示される）対応表は、日勤、準夜勤、夜勤等の各勤務帯に応じて複数の設定が可能である。
【０００９】
このようなナースコールシステムによれば、ナースコール親機は、オーダリングシステムから定期的に転送、例えば、患者の入院時や病床の移動時等に転送されデータベースに記憶される患者管理データおよび医療・看護データをもとに、ナースコール子機の何れかより呼び出しがあったとき、呼び出しを報知すべき携帯端末の携帯端末番号を特定するための日勤、準夜勤、夜勤等の各勤務帯に応じた複数の対応表について操作部の操作により入力または変更設定が可能であり、この対応表は制御部の制御により表示部に表示させることができる。
【００１０】
また、本発明のナースコールシステムにおいて、（ナースコール親機の）制御部は、表示部において待受時に監視対象の全ての患者管理データおよび医療・看護データを一覧でき、チーム番号および／または担当看護師番号によって患者毎に表示部にて色分け表示を行うものである。
【００１１】
このようなナースコールシステムによれば、（ナースコール親機の）制御部は、オーダリングシステムから定期的に転送、例えば、患者の入院時や病床の移動時等に転送されてくる医療・看護データをなすチーム番号および／または担当看護師番号をもとに、待受時に監視対象の全ての患者管理データおよび医療・看護データを表示部に一覧表示させることができる。
【００１２】
また、本発明のナースコールシステムにおいて、ナースコール親機は、患者管理データおよび医療・看護データをもとに、指定されたベッド番号の病床の患者の入院処理を行うための制御部を備えている。
【００１３】
このようなナースコールシステムによれば、ナースコール親機の制御部は、オーダリングシステムから定期的に転送、例えば、患者の入院時や病床の移動時等に転送されてくる患者管理データおよび医療・看護データをもとに、指定されたベッド番号の病床の患者の入院処理を自動的に行うことができる。
【００１４】
【発明の実施の形態】
以下、本発明のナースコールシステムを適用した好ましい形態の実施例について、図面を参照して説明する。
【００１５】
図１は、本発明の実施例によるナースコールシステムを示すシステム構成図である。
【００１６】
図１のシステム構成図に示すナースコールシステムは、部屋番号が「１０１」、「１０２」、・・・のように予め割り当てられている病室内の各病床、所定の位置に設置されており、病床の患者が医療従事者である医師や看護師、例えば、ナースステーション内に在室中の看護師や後述する携帯端末２２ａ、２２ｂ、・・・を携帯しながら病院内を巡回中の看護師のうち受け持ち（担当）の看護師に対して通常のナースコール呼び出し、緊急を要する緊急呼び出し、トイレ介助呼び出し等の呼出種別が異なる呼び出しを行い通話を成立させるための音声を入出力するナースコール子機、ここでは、病室毎４台づつ設置されたベッド番号が「１」のナースコール子機１ａ、２ａ、・・・、ベッド番号が「２」のナースコール子機１ｂ、２ｂ、・・・、ベッド番号が「３」のナースコール子機１ｃ、２ｃ、・・・、ベッド番号が「４」のナースコール子機１ｄ、２ｄ、・・・と、病室毎に設置、例えば、当該病室の出入口近傍である廊下先に設置されており、子機ラインＬ１ａ〜Ｌ１ｄ、Ｌ２ａ〜Ｌ２ｄ、・・・を介してそれぞれ接続されたナースコール子機１ａ〜１ｄ、２ａ〜２ｄ、・・・からの呼出種別が異なる呼び出しを検出するための廊下灯、ここでは、１０１号室の廊下先に設置された廊下灯番号が「１」の廊下灯１１、１０２号室の廊下先に設置された廊下灯番号が「２」の廊下灯１２、・・・と、ナースステーション内に設置されており、ナースコール子機１ａ〜１ｄ、２ａ〜２ｄ、・・・からの呼び出しがあることを呼出種別毎異なるパターンの呼出音を出力するとともに、これを確認したナースステーション内に在室中の看護師が呼出元である病床の患者との間で通話を成立させるための音声を入出力するナースコール通話部２０ａと、ナースステーション内に設置され親機機器間ラインＬ１０を介して接続されたナースコール通話部２０ａとでナースコール親機２０を構成し、ナースコール子機１ａ〜１ｄ、２ａ〜２ｄ、・・・からの呼び出しがあることを呼出種別毎異なるパターンで表示するとともに、オーダリングシステムラインＬ１１を介して接続された後述するオーダリングシステム２１から定期的に転送、例えば、患者の入院時や病床の移動時等に転送されてくる患者管理データおよび医療・看護データを記憶するためのパーソナルコンピュータナースコール（以下、ＰＣナースコールという。）２０ｂと、各病床の患者の患者ＩＤ、患者氏名等の患者管理データおよび入院予定日、ベッド番号、チーム番号、担当看護師番号、担当看護師等の医療・看護データを記憶するためのオーダリングシステム２１と、病院内を巡回中の看護師により携帯されており、ナースコール子機１ａ〜１ｄ、２ａ〜２ｄ、・・・からの呼び出しがあることを呼出種別毎異なるパターンで表示、呼出音を出力するとともに、これを確認した看護師が呼出元である病床の患者との間で通話を成立させるための個別の携帯端末番号（後述）を有するＰＨＳ（Ｐｅｒｓｏｎａｌ  Ｈａｎｄｙｐｈｏｎｅ  Ｓｙｓｔｅｍ）等の携帯端末、ここでは、チーム番号「１」、担当看護師番号「１」の看護師により携帯される携帯端末２２ａ、チーム番号「１」、担当看護師番号「２」の看護師により携帯される携帯端末２２ｂ、・・・と、携��端末２２ａ、２２ｂ、・・・をそれぞれ無線制御するための無線基地局２３と、基地局ラインＬ１２を介して接続された無線基地局２３を制御（回線制御）するためのデジタル方式の交換機２４と、廊下灯ラインＬ１３を介して廊下灯１１、１２・・・、通話部ラインＬ１４を介して（ナースコール親機２０をなす）ナースコール通話部２０ａ、交換機ラインＬ１５を介して交換機２４をそれぞれ接続する中継器としてナースステーション内、または病院内の共用部に設置されており、これら接続された機器を制御するための制御機２５とで構成されている。
【００１７】
なお、本発明の実施例において、携帯端末２２ａ、２２ｂ、・・・を携帯しながら病院内を巡回する看護師の数は、チーム番号「１」〜「３」の３チーム内にそれぞれ担当看護師番号「１」〜「３」の看護師が所属している合計９名とする。
【００１８】
また、図１のシステム構成図において、廊下灯１１、１２、・・・はそれぞれ同様な構成であり、ナースコール子機１ａ〜１ｄ、２ａ〜２ｄ、・・・からの呼び出しがあることを呼出種別毎異なるパターンで点滅／点灯するための呼出表示灯１００を有する。
【００１９】
また、図１のシステム構成図において、（ナースコール親機２０をなす）ＰＣナースコール２０ｂは、オーダリングシステム２１からオーダリングシステムラインＬ１１を介して定期的に転送、例えば、患者の入院時や病床の移動時等に転送されてくる医療・看護データをなすチーム番号および担当看護師番号と携帯端末２２ａ、２２ｂ、・・・の携帯端末番号との対応表（後述する）等を表示するための表示部２００と、表示部２００に表示される対応表（の内容）の入力または変更設定や当該対応表について看護師が看護業務を遂行する日勤、準夜勤、夜勤等の各勤務帯に応じて複数の設定等を行うための例えば、タッチパネル、キーボード等からなる操作部２０１とを有する。
【００２０】
さらに、図１のシステム構成図において、制御機２５は、（ナースコール親機２０をなす）ＰＣナースコール２０ｂの後述するデータベース２０５に記憶される携帯端末２２ａ、２２ｂ、・・・の携帯端末番号を特定するためのデータが記憶されるデータベース（以下、制御機用データベースという。）２５０を有する。
【００２１】
図２は、（ナースコール親機２０をなす）ＰＣナースコール２０ｂの具体的な構成を示すブロック図である。
【００２２】
図２のブロック図に示す（ナースコール親機２０をなす）ＰＣナースコール２０ｂは、上述の表示部２００、操作部２０１と、当該ＰＣナースコールの構成各部をそれぞれ制御するための制御部（以下、ナースコール制御部という。）２０２と、ナースコール制御部２０２および親機機器間ラインＬ１０の間の信号伝送路を形成するためのインターフェース（以下、通話部側Ｉ／Ｆという。）２０３と、ナースコール制御部２０２およびオーダリングシステムラインＬ１１の間の信号伝送路を形成するためのインターフェース（以下、オーダリングシステム側Ｉ／Ｆという。）２０４と、図１のシステム構成図に示すオーダリングシステム２１からオーダリングシステムラインＬ１１、オーダリングシステム側Ｉ／Ｆ２０４を介して定期的に転送、例えば、患者の入院時や病床の移動時等に転送されてくる各病床の患者の患者ＩＤ、患者氏名等の患者管理データおよび入院予定日、ベッド番号、チーム番号、担当看護師番号、担当看護師等の医療・看護データがナースコール制御部２０２の制御により記憶されるとともに、チーム番号および／または担当看護師番号のデータをもとに、ナースコール子機１ａ〜１ｄ、２ａ〜２ｄ、・・・の何れかより呼び出しがあったとき、呼び出しを報知すべき携帯端末２２ａ、２２ｂ、・・・の携帯端末番号を特定するためのデータベース（以下、ナースコール用データベースという。）２０５とが備えられている。
【００２３】
このように構成された本発明の実施例によるナースコールシステムにおいて、以下、具体的な動作について説明する。
【００２４】
図２のブロック図において、（ナースコール親機２０をなす）ＰＣナースコール２０ｂのナースコール制御部２０２は、図１のシステム構成図に示すオーダリングシステム２１からオーダリングシステムラインＬ１１、オーダリングシステム側Ｉ／Ｆ２０４を介して定期的に転送、例えば、患者の入院時や病床の移動時等に転送されてくる各病床の患者の患者ＩＤ、患者氏名等の患者管理データおよび入院予定日、ベッド番号、チーム番号、担当看護師番号、担当看護師等の医療・看護データをナースコール用データベース２０５に記憶している。
【００２５】
次に、本発明の実施例による第１の動作として、上述の医療・看護データをなすチーム番号および担当看護師番号をもとに、携帯端末２２ａ、２２ｂ、・・・の携帯端末番号を設定するためには、先ず、ナースステーション内に在室中の看護師が（ナースコール親機２０をなす）ＰＣナースコール２０ｂの操作部２０１を用いて所定の操作（詳述せず）を行い、この操作を検出したナースコール制御部２０２の制御により、図３の画面構成図に示すチーム番号「１」〜「８」および担当看護師番号「１」〜「８」に割り当てられているチーム担当番号「１１」〜「８８」の対応表（以下、チーム担当番号対応表という。）５０１と、当該チーム番号および担当看護師番号に割り当てられている携帯端末番号の対応表（以下、携帯端末番号対応表という。）５０２と、看護師が看護業務を遂行する勤務帯を選択するための日勤ボタン５０３ａ、準夜勤ボタン５０３ｂ、夜勤ボタン５０３ｃと、登録ボタン５０４等を有するチーム情報登録画面５００を表示部２００に表示させる。
【００２６】
ここで、ナースステーション内に在室中の看護師が、日勤の勤務帯において携帯端末２２ａ、２２ｂ、・・・を携帯しながら病院内を巡回中の９名の看護師のうちチーム番号「１」および担当看護師番号「１」の看護師が携帯する携帯端末２２ａの携帯端末番号を「２０１」に設定するためには、先ず、（ナースコール親機２０をなす）ＰＣナースコール２０ｂの表示部２００に表示されている図３の画面構成図に示すチーム情報登録画面５００上の日勤ボタン５０３ａについて操作部２０１を用いて選択した後、チーム担当番号対応表５０１内のチーム番号「１」および担当看護師番号「１」の該当部であるチーム担当番号「１１」について同様に選択する。これらの選択操作を検出したナースコール制御部２０２は、日勤ボタン５０３ａを例えば、強調表示や反転表示等させるとともに、チーム番号「１」および担当看護師番号「１」に割り当てられている携帯端末番号「２０１」をナースコール用データベース２０５から読み出し、読み出した携帯端末番号「２０１」を携帯端末番号対応表５０２内のチーム番号「１」および担当看護師番号「１」の該当部に表示させる。
【００２７】
この後、ナースステーション内に在室中の看護師が、チーム番号「１」および担当看護師番号「２」の看護師が携帯する携帯端末２２ｂの携帯端末番号を「２０２」に設定するためには、（ナースコール親機２０をなす）ＰＣナースコール２０ｂの表示部２００に表示されている図３の画面構成図に示すチーム情報登録画面５００上、チーム担当番号対応表５０１内のチーム番号「１」および担当看護師番号「２」の該当部であるチーム担当番号「１２」について操作部２０１を用いて選択する。この選択操作を検出したナースコール制御部２０２は、チーム番号「１」および担当看護師番号「２」に割り当てられている携帯端末番号「２０２」をナースコール用データベース２０５から読み出し、読み出した携帯端末番号「２０２」を携帯端末番号対応表５０２内のチーム番号「１」および担当看護師番号「２」の該当部に表示させるとともに、上述のチーム担当番号「１１」に割り当てられた携帯端末番号「２０１」の設定を完了し、携帯端末番号「２０１」の設定が完了した旨のデータをナースコール用データベース２０５に記憶する。
【００２８】
また、上述のような携帯端末番号の設定操作を繰り返した後、図４の画面構成図に示すチーム情報登録画面５００上の登録ボタン５０４について（ナースコール親機２０をなす）ＰＣナースコール２０ｂの操作部２０１を用いて選択することにより、この選択操作を検出したナースコール制御部２０２は、チーム番号「１」および担当看護師番号「３」の看護師が携帯する携帯端末の携帯端末番号「２０３」、チーム番号「２」および担当看護師番号「１」の看護師が携帯する携帯端末の携帯端末番号「２０４」、チーム番号「２」および担当看護師番号「２」の看護師が携帯する携帯端末の携帯端末番号「２０５」、チーム番号「２」および担当看護師番号「３」の看護師が携帯する携帯端末の携帯端末番号「２０６」、チーム番号「３」および担当看護師番号「１」の看護師が携帯する携帯端末の携帯端末番号「２０７」、チーム番号「３」および担当看護師番号「２」の看護師が携帯する携帯端末の携帯端末番号「２０８」、チーム番号「３」および担当看護師番号「３」の看護師が携帯する携帯端末の携帯端末番号「２０９」を携帯端末番号対応表５０２内の該当部にそれぞれ表示させるとともに、これら携帯端末番号「２０２」〜「２０８」の設定が完了した旨のデータをナースコール用データベース２０５に記憶する。
【００２９】
さらに、図２のブロック図において、上述の携帯端末番号「２０１」〜「２０９」の設定が完了した旨のデータを（ナースコール親機２０をなす）ＰＣナースコール２０ｂのナースコール用データベース２０５に記憶させたナースコール制御部２０２は、ナースコール用データベース２０５から読み出したチーム番号「１」〜「３」および担当看護師番号「１」〜「３」にそれぞれ割り当てられている携帯端末番号「２０１」〜「２０９」を含む設定情報信号Ｓ１を通話部側Ｉ／Ｆ２０３に送信する。この設定情報信号Ｓ１は、通話部側Ｉ／Ｆ２０３、親機機器間ラインＬ１０、図１のシステム構成図に示す（ナースコール親機２０をなす）ナースコール通話部２０ａ、通話部ラインＬ１４を介して制御機２５へと伝送され、当該制御機の制御機用データベース２５０に記憶される。
【００３０】
また、上述の説明では、日勤の勤務帯において携帯端末２２ａ、２２ｂ、・・・を携帯しながら病院内を巡回中の看護師を９名として説明したが、例えば、チーム番号「４」および担当看護師番号「１」の看護師が１名追加され、この看護師が携帯する携帯端末の携帯端末番号を「２１０」に設定するように変更設定するためには、先ず、（ナースコール親機２０をなす）ＰＣナースコール２０ｂの表示部２００に表示されている図５の画面構成図に示すチーム情報登録画面５００上の日勤ボタン５０３ａについて操作部２０１を用いて選択した後、チーム担当番号対応表５０１内のチーム番号「４」および担当看護師番号「１」の該当部であるチーム担当番号「４１」について同様に選択する。これらの選択操作を検出したナースコール制御部２０２は、日勤ボタン５０３ａを例えば、強調表示や反転表示等させるとともに、チーム番号「４」および担当看護師番号「１」に割り当てられている携帯端末番号「２１０」をナースコール用データベース２０５から読み出し、読み出した携帯端末番号「２１０」を携帯端末番号対応表５０２内のチーム番号「４」および担当看護師番号「１」の該当部に表示させる。
【００３１】
この後、ナースステーション内に在室中の看護師が、図５の画面構成図に示すチーム情報登録画面５００上の登録ボタン５０４について（ナースコール親機２０をなす）ＰＣナースコール２０ｂの操作部２０１を用いて選択することにより、この選択操作を検出したナースコール制御部２０２は、携帯端末番号「２１０」の設定が完了した旨のデータをナースコール用データベース２０５に追加して記憶することができ、追加して記憶された設定情報（設定情報信号）は制御機２５の制御機用データベース２５０にも記憶される。
【００３２】
なお、上述の説明では、日勤の勤務帯において病院内を巡回する９名の看護師により携帯される携帯端末２２ａ、２２ｂ、・・・の携帯端末番号「２０１」〜「２０９」の設定および変更設定として追加されたチーム番号「４」、担当看護師番号「１」の看護師により携帯される携帯端末の携帯端末番号「２１０」の設定について説明したが、勤務帯は日勤のみならず、準夜勤、夜勤の異なる各勤務帯に応じて複数の設定／変更設定を行うことができ、この場合の設定操作／変更設定操作としては、先ず、（ナースコール親機２０をなす）ＰＣナースコール２０ｂの表示部２０に表示されている図３〜図５の各画面構成図に示すチーム情報登録画面５００上の準夜勤ボタン５０３ｂ、夜勤ボタン５０３ｃについて操作部２０１を用いて選択する。
【００３３】
次に、本発明の実施例による第２の動作として、上述の日勤、準夜勤、夜勤の何れの勤務帯を問わずして、図２のブロック図に示す（ナースコール親機２０をなす）ＰＣナースコール２０ｂのナースコール用データベース２０５に、図１のシステム構成図に示すオーダリングシステム２１から定期的に転送、例えば、患者の入院時や病床の移動時等に転送されてくる上述の患者管理データおよび医療・看護データが記憶されている状態において、医療・看護データをなすチーム番号および担当看護師番号によって患者毎に表示部２００にて色分け表示を行うためには、先ず、ナースステーション内に在室中の看護師が操作部２０１を用いて所定の操作（詳述せず）を行い、この操作を検出したナースコール制御部２０２の制御により、図６の画面構成図に示すチーム担当番号対応表５０１、日勤ボタン５０３ａ、準夜勤ボタン５０３ｂ、夜勤ボタン５０３ｃ、登録ボタン５０４と、チーム番号「１」〜「８」毎の色分けを設定するための色選択画面６０１等を有する表示色設定画面６００を表示部２００に表示させる。
【００３４】
ここで、ナースステーション内に在室中の看護師が、（ナースコール親機２０をなす）ＰＣナースコール２０ｂの表示部２００に表示されている図６の画面構成図に示す表示色設定画面６００上、チーム担当番号対応表５０１内チーム番号「１」の全ての担当看護師番号「１」〜「８」に割り当てられているチーム担当番号「１１」〜「１８」を「黄緑色」に色設定するためには、チーム番号「１」および担当看護師番号「１」〜「８」の該当部であるチーム担当番号「１１」〜「１８」の何れかを操作部２０１を用いて選択した後、表示色設定画面６０１内の色選択ボタン６１０のうち「黄緑色」に該当するボタンおよびＯＫボタン６１１について同様に選択する。これらの選択操作を検出したナースコール制御部２０２は、チーム担当番号対応表５０１内チーム番号「１」の全ての担当看護師番号「１」〜「８」に割り当てられているチーム担当番号「１１」〜「１８」を「黄緑色」に点灯させる。
【００３５】
また、上述のような色分けの設定操作を繰り返すことにより、この操作を検出した（ナースコール親機２０をなす）ＰＣナースコール２０ｂのナースコール制御部２０２は、チーム担当番号対応表５０１内チーム番号「２」の全ての担当看護師番号「１」〜「８」に割り当てられているチーム担当番号「２１」〜「２８」を「桃色」に、チーム番号「３」の全ての担当看護師番号「１」〜「８」に割り当てられているチーム担当番号「３１」〜「３８」を「水色」に、チーム番号「４」の全ての担当看護師番号「１」〜「８」に割り当てられているチーム担当番号「４１」〜「４８」を「赤色」に、チーム番号「５」の全ての担当看護師番号「１」〜「８」に割り当てられているチーム担当番号「５１」〜「５８」を「緑色」に、チーム番号「６」の全ての担当看護師番号「１」〜「８」に割り当てられているチーム担当番号「６１」〜「６８」を「青色」に、チーム番号「７」の全ての担当看護師番号「１」〜「８」に割り当てられているチーム担当番号「７１」〜「７８」を「紫色」に、チーム番号「８」の全ての担当看護師番号「１」〜「８」に割り当てられているチーム担当番号「８１」〜「８８」を「茶色」にそれぞれチーム番号「１」〜「８」毎に色分けして点灯させることができる。
【００３６】
さらに、上述のようにチーム番号「１」〜「８」毎の色分け表示が行われた後、（ナースコール親機２０をなす）ＰＣナースコール２０ｂのナースコール制御部２０２は、待受時に監視対象の全ての患者管理データおよび医療・看護データが一覧される（ナースコール親機２０をなす）ＰＣナースコール２０ｂの表示部２００において、図７の画面構成図に示すように、各病床の患者に割り当てられた患者表示領域７００のうち例えば、１０１号室内でナースコールコール子機１ａが病床に設置されている患者に割り当てられた患者表示領域７００ａに表示されているチーム担当番号「１１」をチーム番号「１」の色分けとして設定された「黄緑色」に点灯させるように、各病床の患者に割り当てられた患者表示領域７００に表示されているチーム担当番号「１１」〜「８８」をチーム番号「１」〜「８」の色分けとして設定された「黄緑色」、「桃色」、「水色」、「赤色」、「緑色」、「青色」、「紫色」、「茶色」にそれぞれ点灯させることができる。
【００３７】
次に、本発明の実施例による第３の動作として、上述の日勤、準夜勤、夜勤の何れの勤務帯を問わずして、図２のブロック図に示す（ナースコール親機２０をなす）ＰＣナースコール２０ｂのナースコール用データベース２０５に、図１のシステム構成図に示すオーダリングシステム２１から定期的に転送、例えば、患者の入院時や病床の移動時等に転送されてくる上述の患者管理データおよび医療・看護データが記憶されている状態において、空床の病床への患者の入院等によってオーダリングシステム２１からの新規の患者管理データおよび医療・看護データをもとに当該患者管理データおよび医療・看護データが書き換えられた場合、ここでは、１０１号室内でナースコールコール子機１ｂが設置されている病床が当初空床であり、この病床に患者が入院してきた場合、これを検出したナースコール制御部２０２は、ナースステーション内に在室中の看護師による操作部２０１を用いた入院処理操作が行われなくとも、１０１号室内でナースコールコール子機１ｂが設置されている病床に割り当てられた図７の画面構成図に示す空床表示の患者表示領域７００ｂを入院した患者の患者管理データおよび医療・看護データが表示される患者表示領域７００ｂ’へと自動的に切り換えることができ、この患者表示領域７００ｂ’に表示されているチーム担当番号「１２」は、上述の第２の動作のように「黄緑色」に点灯させることもできる。
【００３８】
次に、本発明の実施例による第４の動作として、図３〜図５の各画面構成図に示すチーム担当番号対応表５０１および携帯端末番号対応表５０２が（ナースコール親機２０をなす）ＰＣナースコール２０ｂのナースコール用データベース２０５に記憶されている日勤の勤務帯において、病室内の病床の患者、ここでは、１０１号室内でナースコール子機１ａが病床に設置されている患者が、ナースステーション内に在室中の看護師や携帯端末２２ａ、２２ｂ、・・・を携帯しながら病院内を巡回中の看護師のうち受け持ち（担当）の看護師を呼び出す、例えば、通常のナースコール呼び出し、緊急を要する緊急呼び出し、トイレ介助呼び出し等を行うために、これら呼出種別毎で操作が異なるナースコール子機１ａの呼出機能を能動にすると、呼出元のナースコール子機１ａに子機ラインＬ１ａを介して接続されている廊下灯１１は、呼出種別、廊下灯番号「１」、ナースコール子機１ａの子機番号「１」からなる呼出情報を含む呼出信号Ｓ２を廊下灯ラインＬ１３に送信する。この呼出信号Ｓ２は、廊下灯ラインＬ１３を介して（廊下灯１１を除く）他の廊下灯１２、・・・と制御機２５とにそれぞれ伝送される。
【００３９】
なお、廊下灯１１では、廊下灯ラインＬ１３への呼出信号Ｓ２の送信とともに、ナースコール子機１ａが病床に設置されている患者からの呼び出し、すなわち、通常のナースコール呼び出し、緊急を要する緊急呼び出し、トイレ介助呼び出し等のように呼出種別毎異なるパターンで呼出表示灯１００を点滅／点灯させることにより、１０１号室の廊下先に居る看護師に対して呼出報知を行うことができる。
【００４０】
また、（廊下灯１１を除く）他の廊下灯１２、・・・では、廊下灯１１からの呼出信号Ｓ２が制御機２５からの送信信号でないことにより、通常、呼出信号Ｓ２を無効であると判断し、廊下灯１１のような上述の呼出報知は行われない。
【００４１】
また、制御機２５は、廊下灯１１からの呼出信号Ｓ２に含まれている廊下灯番号「１」に割り当てられて予め記憶されている１０１号室の部屋番号「１０１」を検出し、この部屋番号「１０１」と上述の呼出信号Ｓ２に含まれている呼出種別、子機番号「１」とを含む呼出信号Ｓ３を通話部ラインＬ１４に送信する。この呼出信号Ｓ３は、通話部ラインＬ１４を介して（ナースコール親機２０をなす）ナースコール通話部２０ａへと伝送されるとともに、当該ナースコール通話部から親機機器間ラインＬ１０、図２のブロック図に示す（ナースコール親機２０をなす）ＰＣナースコール２０ｂの通話部側Ｉ／Ｆ２０３を介してナースコール制御部２０２へと伝送される。
【００４２】
また、（ナースコール親機２０をなす）ナースコール通話部２０ａは、制御機２５からの呼出信号Ｓ３に含まれている呼出種別、部屋番号「１０１」、子機番号「１」をそれぞれ検出し、呼出種別毎でパターンが異なる呼出音を出力する。
【００４３】
また、（ナースコール親機２０をなす）ＰＣナースコール２０ｂのナースコール制御部２０２は、制御機２５からの呼出信号Ｓ３に含まれている呼出種別、部屋番号「１０１」、子機番号「１」をもとに、１０１号室内でナースコール子機１ａが病床に設置されている患者からの呼び出しがあることを検出し、図７の画面構成図に示す患者表示領域７００ａを呼出種別毎異なるパターン（詳述せず）で表示部２００に表示させる。
【００４４】
また、（ナースコール親機２０をなす）ナースコール用データベース装置２０ｂのナースコール制御部２０２は、表示部２００への上述の表示とともに、ナースコール用データベース２０５から読み出した呼出元である病床の患者に関する所定の患者管理データおよび医療・看護データ（詳述せず）と呼出種別、部屋番号「１０１」、ベッド番号「１」とを含む呼出制御信号Ｓ４を通話部側Ｉ／Ｆ２０３に送信する。この呼出制御信号Ｓ４は、通話部側Ｉ／Ｆ２０３、親機機器間ラインＬ１０、（ナースコール親機２０をなす）ナースコール通話部２０ａ、通話部ラインＬ１４を介して制御機２５へと伝送される。
【００４５】
また、制御機２５は、（ナースコール親機２０をなす）ナースコール用データベース装置２０ｂからの呼出制御信号Ｓ４に含まれている呼出種別、部屋番号「１０１」、子機番号「１」、所定の患者管理データおよび医療・看護データをそれぞれ検出し、部屋番号「１０１」およびベッド番号「１」に割り当てられて保存されているチーム番号「１」および担当看護師番号「１」に対応した携帯端末番号「２０１」を制御機用データベース２５０から読み出し、この携帯端末番号「２０１」と所定の呼出表示データ（詳述せず）とを含む端末呼出制御信号Ｓ５を交換機ラインＬ１５に送信する。この端末呼出制御信号Ｓ５は、交換機ラインＬ１５、交換機２４、基地局ラインＬ１２、無線基地局２３を介して無線信号に変換された後、携帯端末２２ａ、２２ｂ、・・・へとそれぞれ伝送される。
【００４６】
さらに、携帯端末２２ａ、２２ｂ、・・・は、制御機２５からの端末呼出制御信号Ｓ５に含まれている携帯端末番号「２０１」、呼出表示データのうち携帯端末番号「２０１」と自端末が有する個別の携帯端末番号とを照合し、一致した場合にのみ呼出表示データを有効であると判断して表示するとともに、呼出種別毎でパターンが異なる呼出音を出力させる。ここでは、携帯端末２２ａのみ携帯端末番号が「２０１」で一致することにより、携帯端末２２ａを携帯しながら病院内を巡回中の看護師に対してのみ上述の表示、呼出音が出力される。
【００４７】
なお、携帯端末２２ａには、上述の呼出表示データの他に、呼出時刻、すなわち、端末呼出制御信号Ｓ５が受信された時刻を表示させることもできる。
【００４８】
ここで、１０１号室内でナースコール子機１ａが病床に設置されている患者からの呼び出し、すなわち、通常のナースコール呼び出し、緊急を要する緊急呼び出し、トイレ介助呼び出しのうち何れかの呼び出しを確認したナースステーション内に在室中の看護師および携帯端末２２ａを携帯しながら病院内を巡回中の看護師のうち最先に応答した看護師、先ず、ナースステーション内に在室中の看護師が（ナースコール親機２０をなす）ナースコール通話部２０ａにて応答すると、当該ナースコール通話部が有する通話機能と、通話部ラインＬ１４、制御機２５、廊下灯ラインＬ１３、廊下灯１１、子機ラインＬ１ａを介してナースコール子機１ａが有する通話機能との間の通話ラインが形成され、この通話ラインを介して音声信号を送受信させることにより、ナースステーション内に在室中の看護師と１０１号室内でナースコール子機１ａが病床に設置されている患者との間で通話が成立する。
【００４９】
一方、携帯端末２２ａを携帯しながら病院内を巡回中の看護師が当該携帯端末にて応答すると、携帯端末２２ａが有する通話機能と、無線基地局２３、基地局ラインＬ１２、交換機２４、交換機ラインＬ１５、制御機２５、廊下灯ラインＬ１３、廊下灯１１、子機ラインＬ１ａを介してナースコール子機１ａが有する通話機能との間の通話路が形成され、この通話路を介して音声信号を送受信させることにより、携帯端末２２ａを携帯しながら病院内を巡回中の看護師と１０１号室内でナースコール子機１ａが病床に設置されている患者との間で通話が成立する。
【００５０】
なお、上述の実施例では、携帯端末２２ａ、２２ｂ、・・・を携帯しながら病院内を巡回する看護師の数は、チーム番号「１」〜「３」の３チーム内にそれぞれ担当看護師番号「１」〜「３」の看護師が所属している合計９名、またはチーム番号「４」、担当看護師番号「１」の看護師が追加された場合において、チーム番号「１」〜「４」および担当看護師番号「１」〜「３」から割り当てられている携帯端末番号「２０１」〜「２１０」について設定／変更設定したが、単一のチーム内に複数の看護師が所属している場合、例えば、チーム番号が「１」のみで担当看護師番号「１」〜「８」が割り当てられている場合には、（ナースコール親機２０をなす）ＰＣナースコール２０ｂにて行われる設定／変更設定が操作部２０１を用いたチーム担当番号「１１」〜「１８」の選択のみで可能となる、一方、複数のチーム内に一人の看護師が所属している場合、例えば、チーム番号「１」〜「８」にそれぞれ担当看護師番号「１」が割り当てられている場合には、（ナースコール親機２０をなす）ＰＣナースコール２０ｂにて行われる設定／変更設定が操作部２０１を用いたチーム担当番号「１１」、「２１」、「３１」「４１」、「５１、「６１」、「７１」、「８１」の選択のみで可能となり、これらの選択操作は、上述の第３の動作にて示した色分け表示の設定を行う場合にも適用される。
【００５１】
また、上述の実施例では、携帯端末２２ａ、２２ｂ、・・・にて照合される携帯端末番号を記憶する制御機用データベース２５０を制御機２５に備えた場合について説明したが、（ナースコール親機２０をなす）ＰＣナースコール２０ｂのナースコール用データベース２０５に制御機用データベース２５０を内蔵させることにより、制御機用データベース２５０から携帯端末番号を読み出して呼出制御信号Ｓ４に含ませることができる。
【００５２】
さらに、上述の実施例では、病室内の各病床、所定の位置に設置されるナースコール子機の台数を４台づつとしたが、この台数は４台に限定されず、個室として病室を使用するような単一台、または大部屋として病室を使用するように、より複数台、任意の台数を設置することもできる。
【００５３】
【発明の効果】
以上の説明から明らかなように、本発明のナースコールシステムによれば、オーダリングシステムから定期的に転送、例えば、患者の入院時や病床の移動時等に転送されナースコール親機のデータベースに記憶される患者管理データおよび医療・看護データをもとに、ナースコール子機の何れかより呼び出しがあったとき、呼び出しを報知すべき携帯端末の携帯端末番号を特定するための日勤、準夜勤、夜勤等の各勤務帯に応じた複数の対応表について操作部の操作により入力または変更設定が可能であることから、ナースステーション内に在室中の看護師は、患者の入院処理として何ら操作することなく、ナースコール子機の何れかより呼び出しがあったとき、呼び出しを報知すべき携帯端末の携帯端末番号を自動的に割り当てることができる。
【００５４】
また、本発明のナースコールシステムによれば、オーダリングシステムから定期的に転送、例えば、患者の入院時や病床の移動時等に転送されてくる医療・看護データをなすチーム番号および／または担当看護師番号をもとに、待受時に監視対象の全ての患者管理データおよび医療・看護データをナースコール親機の表示部に一覧表示させることができ、この表示はチーム番号毎に色分けされ、これを確認するナースステーション内に在室中の看護師にとって視認性が向上される。
【００５５】
また、本発明のナースコールシステムによれば、オーダリングシステムから定期的に転送、例えば、患者の入院時や病床の移動時等に転送されてくる患者管理データおよび医療・看護データをもとに、指定されたベッド番号の病床の患者の入院処理を自動的に行うことができ、ナースステーション内に在室中の看護師は、患者の入院処理として何ら操作せずに済み煩雑さが解消される。
【図面の簡単な説明】
【図１】本発明の実施例によるナースコールシステムを示すシステム構成図である。
【図２】本発明の実施例によるナースコールシステムにおいて、（ナースコール親機をなす）ＰＣナースコールの具体的な構成を示すブロック図である。
【図３】本発明の実施例によるナースコールシステムにおいて、（ナースコール親機をなす）ＰＣナースコールの表示部に表示されるチーム情報登録画面の第１の例を示す画面構成図である。
【図４】本発明の実施例によるナースコールシステムにおいて、（ナースコール親機をなす）ＰＣナースコールの表示部に表示されるチーム情報登録画面の第２の例を示す画面構成図である。
【図５】本発明の実施例によるナースコールシステムにおいて、（ナースコール親機をなす）ＰＣナースコールの表示部に表示されるチーム情報登録画面の第３の例を示す画面構成図である。
【図６】本発明の実施例によるナースコールシステムにおいて、（ナースコール親機をなす）ＰＣナースコールの表示部に表示される表示色設定画面の一例を示す画面構成図である。
【図７】本発明の実施例によるナースコールシステムにおいて、（ナースコール親機をなす）ＰＣナースコールの表示部に表示される患者表示領域の一例を示す画面構成図である。
【符号の説明】
１ａ〜１ｄ、２ａ〜２ｄ、・・・  ・・・・・ナースコール子機
１１、１２、・・・  ・・・・・廊下灯
１００・・・・・呼出表示灯
２０・・・・・ナースコール親機
２００・・・・・表示部
２０１・・・・・操作部
２０２・・・・・制御部（ナースコール制御部）
２０５・・・・・データベース（ナースコール用データベース）
２１・・・・・オーダリングシステム
２２ａ、２２ｂ、・・・  ・・・・・携帯端末
５０１・・・・・対応表（チーム担当番号対応表）
５０２・・・・・対応表（携帯端末番号対応表）
【図１】
2004320555.tif 000003
【図２】
2004320555.tif 000004
【図３】
2004320555.tif 000005
【図４】
2004320555.tif 000006
【図５】
2004320555.tif 000007
【図６】
2004320555.tif 000008
【図７】
2004320555.tif 000009